(57)【特許請求の範囲】
【請求項１】
嵌合具を有し、ポリマーから形成される、液体保持袋と、
該嵌合具とパルプ形成骨組との間に変形可能フランジにより形成される機械的接続により、該液体保持袋を支持する、成形繊維またはパルプにより形成された骨組と
を備え、該変形可能フランジの変形は、該嵌合具を該骨組に固定する、骨組付きの袋。
【請求項２】
前記嵌合具は、再密閉可能な閉鎖具を備える、請求項１に記載の骨組付きの袋。
【請求項３】
前記骨組は、（ａ）前記液体保持袋の重量を支持し、（ｂ）該液体保持袋を囲む把持領域を備え、（ｃ）前記コンテナを把持した際に、該液体保持袋の圧縮を防止するように構成される、請求項１に記載の骨組付きの袋。
【請求項４】
前記液体保持袋および前記嵌合具は、両方とも、１種類のポリマーから、または１つの再利用群に属するポリマーから形成される、請求項１に記載の骨組付きの袋。
【請求項５】
前記骨組は、前記液体保持袋の内容物を見るための窓を含む、請求項１に記載の骨組付きの袋。
【請求項６】
前記骨組は、前記骨組の少なくとも１つの縁部上に分割線フランジを伴わずに形成される、請求項１に記載の骨組付きの袋。
【請求項７】
嵌合具、および成形繊維またはパルプ形成骨組に取り付けられる、液体保持袋を備える、骨組付きの袋であって、該嵌合具は、該成形繊維またはパルプ形成骨組の１つ以上のフランジに相補的であり、該嵌合具および該骨組を一体化する接続を形成する、１つ以上の変形可能フランジを備え、該変形可能フランジの変形は、該嵌合具を該骨組に固定する、骨組付きの袋。
【請求項８】
前記嵌合具および骨組は、前記液体保持袋および前記袋の内容物の重量が前記骨組によって保持されるように一体化される、請求項７に記載の骨組付きの袋。
【請求項９】
前記嵌合具は、溶接プロセスによって前記液体保持袋の正面に載置される、請求項７に記載の骨組付きの袋。
【請求項１０】
前記嵌合具は、接着剤によって前記液体保持袋の前記正面に載置される、請求項７に記載の骨組付きの袋。
【請求項１１】
前記嵌合具および前記液体保持袋は、単一のポリマー種で構築される、請求項７に記載の骨組付きの袋。
【請求項１２】
前記嵌合具および／または前記液体保持袋は、複数のポリマー種で構築される、請求項７に記載の骨組付きの袋。
【請求項１３】
液体保持パウチを液体で充填するためのオリフィスを有する嵌合具を伴う、液体保持パウチを備え、
該嵌合具は、繊維またはパルプ成形骨組への確実な接続を行うための外部変形可能フランジを有し、該変形可能フランジの変形は、該嵌合具を該繊維またはパルプ成形骨組に固定し、
該オリフィスは、液体で充填された後に閉鎖されるように構成され、
さらに、該液体保持パウチは、該繊維またはパルプ成形骨組によって支持される、液体保持コンテナ。
【請求項１４】
前記外部変形可能フランジは、可撓性ポリマーから形成される、請求項１３に記載のコンテナ。
【請求項１５】
前記骨組は、前記液体保持パウチを包含する、把持領域を備え、さらに、前記骨組は、前記コンテナの把持時に、前記液体保持パウチの圧縮を防止するように構成される、請求項１３に記載のコンテナ。
【請求項１６】
前記骨組は、前記骨組の破壊を伴わずに前記液体保持パウチの除去を可能にするように構成され、それによって、前記骨組の再閉鎖を可能にする、請求項１３に記載のコンテナ。
【請求項１７】
前記骨組は、別の液体保持パウチの周囲の再閉鎖を可能にするように構成される、請求項１６に記載のコンテナ。
【請求項１８】
パルプ成形シェルと、
該パルプ成形シェル内に含有される袋と、
該袋を該パルプシェルに固定するための嵌合具と、
を備え、該嵌合具は、変形可能フランジを含み、該変形可能フランジの変形は、該嵌合具を該パルプ成形シェルに固定する、材料を保持するためのコンテナ。
【発明の詳細な説明】
【技術分野】
【０００１】
（関連出願）
本願は、２００８年９月１２日に出願された米国仮出願第６１／０９６，７４３号の利益を主張し、この仮出願は、本明細書においてその全体が参照により援用される。
【背景技術】
【０００２】
液体を収容するために使用されるパッケージングは、大量の廃棄物を生成し得る。いくつかの場合において、液体を収容するために使用されるパッケージングは、再利用することができる。液体を収容するために使用されるパッケージングは、特許文献１で説明され、この特許文献１は、参照することによりその全体が本明細書に援用されている。
【０００３】
従来、ワイン、ビール、および牛乳等の多くの飲料は、ガラス瓶で供給されていた。これらの瓶を作製するために使用されるガラスは、それ自体が再利用され得る。しかしながら、瓶を作成するために必要とされるエネルギーは高い。また、結果として生じるパッケージングの重量は高く、製品を輸送するために必要とされるエネルギー量を増大させる。ガラスは、再利用できるが、これは、例えば収集のためにユーザが家庭廃棄物からガラス瓶を選別することによって、他の廃棄物から瓶を選別することが必要である。したがって、しばしば、ガラス瓶が他の廃棄物とともに処分されることがある。この場合、ガラス瓶は、埋立地の中に処分され得る。これは、他の何らかの形の廃棄物と異なり、ガラスは生物分解性でないので、問題である。
【０００４】
近年、水、ジュース、炭酸入り飲料、または牛乳等の液体のための、ＰＥＴまたはＨＤＰＥ等のプラスチックから作製される瓶を使用することが一般的になっている。この場合、コンテナが再利用材料から形成される場合にあり得るように、瓶内に含有される液体が汚染されないことを確実にするように、瓶は、未使用材料、すなわち非再利用材料から形成されることが一般的である。材料自体は、ガラス瓶のように、他の廃棄物から分離される場合に再利用され得るが、これは、住人等の廃棄物の生産者が、他の廃棄物材料からコンテナを選別することが必要なため、あまり頻繁に生じない。ここでも、コンテナが埋立地等に処分される場合、瓶は、生物分解性でない。また、瓶は、中空で剛体の構造により、材料自体の容量よりも大きい容量を取り、したがって、埋立地の過剰な空間を取ることになる。
【０００５】
また、積層厚紙コンテナの中に、例えばＴｅｔｒａ  Ｐａｋによって販売されているコンテナの中に、液体をパッケージングすることが提案されている。この場合、コンテナの本体が形成される厚紙は、未使用または再利用材料であってもよい。厚紙は、耐水被覆を伴って積層される。これは、コンテナが、液体を保持し、かつ液体と厚紙との間のバリアとして作用し、厚紙からの液体の汚染を防止することができるようにする。これは、厚紙が再利用材料から形成される場合に特に必要である。このようなパッケージングに関する問題は、それらの再利用が困難であること、および耐水被覆がそれらの完全な分解を妨げることである。内容物を分注するためのパッケージングの一部として、プラスチック分注ノズルまたはキャップが形成された時に、問題は悪化する。これは、コンテナが再利用できる、またはその部品の分解を可能にする前に、分離することが必要である、別の構成要素である。
【０００６】
いくつかの国において、牛乳等の液体は、袋の中にパッケージングされる。しかしながら、これらの袋は、構造的安定性をほとんど有さず、したがって、輸送すること、および棚に積み重ねることが困難である。それらは、しばしば再密閉可能ではなく、保持および持ち運びを難しくする。
【０００７】
ワインを箱の中にパッケージングすることは公知である。これらは、箱本体を備え、典型的に積層厚紙で形成され、パッケージングのための構造を提供する。箱内には袋が提供され、その袋内にワインが含有される。しばしば、分注タップが袋に接続され、使用時には、箱の中の側面開口部を通して突出するように配設される。このような場合には、注ぎ口が、分注のために箱の外側に突出または張り出すように作製される。液体の重量は、通常、箱底部に沿って分散し、箱から突出する分注タップによって支持されない。このようなコンテナの効率的な処分のために、異なる材料から作製される部品のそれぞれも分離され、すなわち、箱から袋、袋から分注タップ、および箱を形成する厚紙から積層物が分離される。パッケージング構成要素のこの分離は、困難であり、このようなパッケージングが、処分または効率的に再利用されることを妨げる。
【０００８】
さらに、いくつかの場合において、瓶または他の液体コンテナは、再利用品貯蔵所に入れることができない付加的で分離可能な構成要素を含有する。例えば、ルーズキャップ、ストロー、およびいたずら防止または不正開封防止デバイスは、環境内の全体のごみの一因となる。瓶を再利用品貯蔵所またはごみ箱に入れることができる場合であっても、それらのキャップまたは他の種類の閉鎖具は、結局は一般のごみになる。
【先行技術文献】
【特許文献】
【０００９】
【特許文献１】国際公開公報第２００７／００６６０９０号
【発明の概要】
【発明が解決しようとする課題】
【００１０】
したがって、高められた機能性および設計上の特微を消費者に提供しながら、低減された環境への悪影響を有する、改良されたコンテナの必要性がある。
【課題を解決するための手段】
【００１１】
（参照による援用）
本願明細書に述べられる全ての公報および特許出願は、個々の公報または特許出願書が、具体的かつ個別に参照することにより援用されているかのように、参照することにより本願明細書に援用される。
【００１２】
本発明の好ましい実施形態が、本明細書に示されて説明されているが、当業者には、そのような実施形態は、一例として提供されていることが明らかになるであろう。多数の変形、変更、および置換が、本発明から逸脱することなく当業者に生じるであろう。本明細書で説明される本発明の実施形態の種々の代替物が、本発明を実行する際に採用され得ることを理解されたい。
【００１３】
本発明は、液体保持容器、閉鎖具、および骨組から成る群より選択される構成要素を備える、コンテナを提供する。本明細書で説明される、液体保持容器と、嵌合具と、閉鎖具と、骨組とを含むコンテナ構成要素は、本発明の種々の図と入れ替える、または組み合わせることができる。本明細書で説明される側面のうちのいずれかは、当業者に公知の他のコンテナ構成要素と組み合わせることができる。
【００１４】
本明細書で説明されるコンテナは、人間消費用の飲料の送達および／もしくは貯蔵に、または人間消費用ではない他の材料の送達に使用することができる。含有することができる材料の例には、飲料、シロップ、濃縮液、石鹸、インク、ゲル、固体、および粉末が挙げられる。液体保持容器であってもよい容器は、好ましくは、１種類の材料から成り、材料の完全な再利用を促進する。本発明の他の実施形態において、容器アセンブリは、重要なことに、１種類の材料であることができ、一方で、キャップまたはいたずら防止密閉具等の構成要素は、その目的により十分に適した、異なる材料で作製されてもよい。
【００１５】
液体保持容器は、配送中および取扱中に容器を支持するように、構造筐体または骨組に連結することができる。流体は、注入、吸引、噴出、または他の手段によってコンテナから分注することができる。構造筐体は、容器の潰れを防止し、また、片手でコンテナを取り出して、制御された様式で飲料を分注できるようにするのに十分なコンテナへの横力に抵抗することができる。
本明細書は、例えば、以下の項目も提供する。
（項目１）
嵌合具を有し、ポリマーから形成される、液体保持袋と、
該嵌合具とパルプ形成骨組との間に形成される機械的接続により、該液体保持袋を支持する、成形繊維またはパルプにより形成された骨組と
を備える、骨組付きの袋。
（項目２）
前記嵌合具は、再密閉可能な閉鎖具を備える、項目１に記載の骨組付きの袋。
（項目３）
前記骨組は、（ａ）前記液体保持袋の重量を支持し、（ｂ）該液体保持袋を囲む把持領域を備え、（ｃ）前記コンテナを把持した際に、該液体保持袋の圧縮を防止するように構成される、項目１に記載の骨組付きの袋。
（項目４）
前記液体保持袋および前記嵌合具は、両方とも、１種類のポリマーから、または１つの再利用群に属するポリマーから形成される、項目１に記載の骨組付きの袋。
（項目５）
前記骨組は、前記液体保持袋の内容物を見るための窓を含む、項目１に記載の骨組付きの袋。
（項目６）
前記骨組は、前記骨組の少なくとも１つの縁部上に分割線フランジを伴わずに形成される、項目１に記載の骨組付きの袋。
（項目７）
嵌合具、および成形繊維またはパルプ形成骨組に取り付けられる、液体保持袋を備える、骨組付きの袋であって、該嵌合具は、該成形繊維またはパルプ形成骨組の１つ以上のフランジに相補的であり、該嵌合具および該骨組を一体化する接続を形成する、１つ以上のフランジを備える、骨組付きの袋。
（項目８）
前記骨組は、前記嵌合具の周囲で閉鎖され、前記骨組は、保持カラーによって閉鎖位置に固定される、項目７に記載の骨組付きの袋。
（項目９）
前記成形繊維またはパルプ形成骨組の前記１つ以上のフランジに対して、前記嵌合具の１つ以上のフランジを保持するための、保持カラーをさらに備える、項目７に記載の骨組付きの袋。
（項目１０）
接着剤は、前記成形繊維またはパルプ形成骨組の前記１つ以上のフランジに対して、前記嵌合具の１つ以上のフランジを固定する、項目７に記載の骨組付きの袋。
（項目１１）
前記嵌合具および骨組は、前記液体保持袋および前記袋の内容物の重量が前記骨組によって保持されるように一体化される、項目７に記載の骨組付きの袋。
（項目１２）
前記嵌合具は、溶接プロセスによって前記液体保持袋の正面に載置される、項目７に記載の骨組付きの袋。
（項目１３）
前記嵌合具は、接着剤によって前記液体保持袋の前記正面に載置される、項目７に記載の骨組付きの袋。
（項目１４）
前記嵌合具および前記液体保持袋は、単一のポリマー種で構築される、項目７に記載の骨組付きの袋。
（項目１５）
前記嵌合具および／または前記液体保持袋は、複数のポリマー種で構築される、項目７に記載の骨組付きの袋。
（項目１６）
液体保持パウチを液体で充填するためのオリフィスを有する嵌合具を伴う、液体保持パウチを備え、
該嵌合具は、繊維またはパルプ成形体への確実な接続を行うための外部噛合特徴を有し、
該オリフィスは、液体で充填された後に閉鎖されるように構成され、
さらに、該液体保持パウチは、該繊維またはパルプ成形骨組によって支持される、液体保持コンテナ。
（項目１７）
前記外部噛合特徴は、前記繊維またはパルプ成形骨組に固定され、剛性構造を形成する、フランジを備える、項目１６に記載のコンテナ。
（項目１８）
前記外部噛合特徴は、可撓性ポリマーから形成される、項目１６に記載のコンテナ。
（項目１９）
前記骨組は、前記液体保持パウチを包含する、把持領域を備え、さらに、前記骨組は、前記コンテナの把持時に、前記液体保持パウチの圧縮を防止するように構成される、項目１６に記載のコンテナ。
（項目２０）
前記骨組は、前記骨組の破壊を伴わずに前記液体保持パウチの除去を可能にするように構成され、それによって、前記骨組の再閉鎖を可能にする、項目１６に記載のコンテナ。
（項目２１）
前記骨組は、第２の液体保持パウチの周囲の再閉鎖を可能にするように構成される、項目１６に記載のコンテナ。
（項目２２）
パルプ成形シェルと、
該パルプ成形シェル内に含有される袋と、
該袋を該パルプシェルに固定するための嵌合具と、
を備える、材料を保持するためのコンテナ。
（項目２３）
前記袋は、前記嵌合具に溶接され、前記嵌合具は、摩擦、機械的変形、接着剤、または熱ステークによって、前記パルプ成形シェルに固定される、項目２２に記載のコンテナ。
【図面の簡単な説明】
【００１６】
本発明の特徴および利点は、以下の発明を実施するための形態、および例示的実施形態を記載する添付図面を参照することによって、さらに説明され得る。
【図１】図１は、成形繊維またはパルプ成形骨組と、液体保持袋と、閉鎖具とを備える、コンテナの図である。
【図２】図２は、取り付けられた首部を伴う容器の図である。
【図３】図３は、首部を通して繊維成形またはパルプ成形骨組に接続される容器を伴う、コンテナの断面図である。
【図４】図４は、コンテナの首部領域の近くに補強特徴を伴う、コンテナの断面図である。
【図５】図５は、不正開封防止密閉具を伴う、コンテナの断面図である。
【図６】図６は、容器を繊維またはパルプ成形体に固定するためのフランジを有する容器を伴う、コンテナの図である。
【図７】図７は、容器に取り付けられる不正開封防止密閉具を示す図である。
【図８】図８は、コンテナのための蓋を示す図である。
【図９】図９は、可撓性袋コンテナの図である。
【図１０】図１０は、開口位置で示される、可撓性液体保持袋を支持するクラムシェル型骨組を伴う、コンテナの図である。
【図１１】図１１は、骨組内に含有される液体保持袋からの骨組の分離を促進する特徴を有する骨組とともに形成される、コンテナの図である。
【図１２】図１２は、分割線の上側および下側で投影した、特徴を伴うパルプ成形シェルを示す図である。
【図１３】図１３は、シェルに合成を提供し、かつ嵌合具への摩擦嵌合を促進するように突出部または凹部を伴う、シェルを示す図である。
【図１４Ａ】図１４Ａは、平坦な基部を伴う、パルプ成形シェルの側面図である。
【図１４Ｂ】図１４Ｂは、平坦な基部を伴う、パルプ成形シェルの底面図である。
【図１５Ａ】図１５Ａは、多部品シェルを示す図である。
【図１５Ｂ】図１５Ｂは、シェル部品を挿入成形品と噛合するために位置付けられる袋を示す図である。
【図１５Ｃ】図１５Ｃは、挿入成形品を伴う、シェル部品を示す図である。
【図１６】図１６は、端部係合嵌合具を伴う、枕型袋を示す図である。
【図１７】図１７は、正面載置嵌合具３１０を、伴う袋を示す図である。
【図１８】図１８は、干渉摩擦相互係止によってシェルに取り付けられた嵌合具を示す図である。
【図１９】図１９は、機械的変形によってシェルに取り付けられた嵌合具を示す図である。
【図２０】図２０は、熱ステークによってシェルに取り付けられた嵌合具を示す図である。
【図２１】図２１は、熱ステークによってシェルに噛合された嵌合具を示す図である。
【発明を実施するための形態】
【００１７】
図１は、成形繊維またはパルプ形成骨組（１１０）によって支持される液体保持袋を備える、コンテナの図を示す。成形繊維またはパルプ形成骨組は、成形繊維またはパルプ形成骨組内に含有される液体保持袋の内容物を見るための、１つ以上の開口部（１２０）を備えることができる。液体保持袋は、光学的に透明な材料で形成することができる。コンテナはまた、閉鎖具（１３０）を備えることができる。閉鎖具は、保持カラー（１４０）と、キャップ（１６０）とを備えることができる。コンテナはまた、ユーザによるコンテナの把持または把持のための、把持または把持領域（１７０）を有することができる。
【００１８】
本明細書の液体保持袋または容器は、ポリマーまたは他の液体不透過性材料で形成することができる。ポリマーまたは他の液体不透過性材料は、消費製品の貯蔵用の食品等級であることができる。液体保持容器は、可撓性または圧縮可能であることができる。本発明のいくつかの実施形態において、液体保持容器を構築するために使用されるポリマーの量は、所与の容器容量に対して最小化される。液体保持容器の構築に使用されるポリマーの最小化は、コンテナの製造または処分に関連する負の環境影響を低減することができる。本発明の他の実施形態において、液体保持容器は、液体保持容器に形状を提供するための継ぎ目を備えることができる。いくつかの場合において、容器は、高められた製品寿命を可能にする、単一かつ一様なポリマーで形成することができる。
【００１９】
本明細書の閉鎖具は、液体保持コンテナの可逆的密閉および容器内からの液体の分注を可能にするように、液体保持容器の開口部の近くに取り付けることができる。閉鎖具は、好ましくは、ポリマーまたは任意の他の液体不透過性材料で形成することができる。本発明のいくつかの実施形態において、閉鎖具および液体保持容器は、１つの再利用群に属するポリマーから形成されるか、または同じ種類のポリマーから形成される。本発明のいくつかの実施形態において、嵌合具は、単一のポリマー種で構築され、液体保持容器は、複数のポリマー種で形成される。同じ種類のポリマーからの、または１つの再利用群に属するポリマーからの閉鎖具および液体保持容器の形成は、簡略化および／またはコスト削減された再利用を可能にすることができる。ポリマーの種類は、ポリエチレンテレフタレート（ＰＥＴ）、高密度ポリエチレン（ＨＤＰＥ）、ポリ塩化ビニル（ＰＶＣ）、低密度ポリエチレン（ＬＤＰＥ）、ポリプロピレン（ＰＰ）、ポリスチレン（ＰＳ）、および他のポリマーを含むことができる。ポリマーは、ＦＤＡ承認済のプラスチックであることができる。再利用群は、プラスチック識別コード１、２、３、４、５、６、および７を含むことができる。再利用群は、再利用プロセスの前にプラスチックまたはポリマー種の分離を必要としない再利用プロセスを使用して一緒に再利用することができる、一組のプラスチックまたはポリマー種を含むことができる。
【００２０】
本発明のいくつかの実施形態において、閉鎖具を構築するために使用されるポリマーの量は、最小化される。閉鎖具の構築に使用されるポリマーの最小化は、閉鎖具の製造または処分に関連する負の環境影響を低減することができる。
【００２１】
本明細書の閉鎖具は、超音波溶接、熱密閉、または当業者に公知の他の方法等の頑健な手段を通して、液体保持容器の開口端に機械的に取り付けることができる。閉鎖具は、構造筐体または骨組上の特徴に首部を保持する、中央に位置する首部の非取付端から外向きに延在する環状保持カラーを伴う、単一の中央に位置する首部を備えることができる。環状保持カラーは、適切な畝のある特徴を伴う保持カラーの内側部分の、首部の外側部分への係合を通して、中央首部への確実な接続を確立するように成形することができる。保持カラーの外側部分は、構造筐体または骨組の頂部分を保持するように成形することができる。構造筐体または骨組の構成がクラムシェルに類似した構造筐体または骨組の一実施形態において、環状保持カラーは、クラムシェルの確実な閉鎖を提供することができる。当業者は、保持カラーの機能は、弾性バンディング、接着または非接着テープまたはフィルム、コード、金属バンディング、熱収縮チュービング、接着または非接着紙ラベル、密閉ワックス等の、他のデバイスによって行うことができることを認識するであろう。
【００２２】
本明細書の閉鎖具はまた、不正開封防止密閉具を含むことができる。不正開封防止密閉具は、コンテナが開口されたかどうかを示すことができる。不正開封防止密閉具は、紙、ポリマー、ワックス、または任意の他の液体不透過性材料で形成することができる。本発明の他の実施形態では、不正開封防止密閉具は、液体不透過性材料から形成されない。不正開封防止密閉具は、開口部または開口を覆う、膜または他の薄くて軽量な材料であることができる。本発明のいくつかの実施形態において、不正開封防止密閉具および閉鎖具の他の構成要素は、同じポリマー種から、または単一の再利用群に属するポリマーから形成される。不正開封防止密閉具は、不正開封防止密閉具を破ることでコンテナから構成要素を解放しないように設計することができる。本発明の他の実施形態において、不正開封防止密閉具は、コンテナからの不正開封防止密閉具の構成要素の解放によって破られる。不正開封防止密閉具は、コンテナの開口への初期の噛み付きまたは他のユーザの行動によって破ることができる。
【００２３】
本発明のいくつかの実施形態において、袋に連結される不正開封防止特徴または密閉具は、不正開封防止密閉具を破る、破壊、または開封することで、袋の中の開口の形成をもたらすように構成することができる。それは、袋の強度または袋の引裂強度よりも大きい接着強度または付着強度を保有する、不正開封防止特徴を選択することによって設計することができる。付着強度は、袋に対する不正開封防止特徴の一部分の間の付着強度であることができる。この構成は、不正開封防止密閉具が破られた、または取り外された時に、袋を破ることによって、袋の中の開口部の形成をもたらすことができる。
【００２４】
本明細書で首部とも称され得る嵌合具は、閉鎖具を含むことができ、容器の可逆的閉鎖具および開口部、ならびにシェルまたは骨組上の１つ以上の特徴または部品に相補的である１つ以上の部品または特徴のために使用されてもよい。嵌合具は、溶接または別の方法で袋に取り付けることができる。嵌合具は、パルプシェルに固定することができ、それによって、嵌合具を介して袋を骨組に固定する。
【００２５】
本明細書で提供されるコンテナのための首部または嵌合部分は、流体経路によって液体保持容器の内側と外側との間の連通を可能にする開口部を形成する、概して円筒または長円形のセクションを形成することができる。流体経路は、液体保持容器内からの流体の抽出前の、ユーザの手による密閉具の取り外しを可能にする特徴を伴う、一体的に成形された不正開封防止密閉具によって遮断することができる。
【００２６】
さらに、首部または嵌合具は、外側円筒または長円形表面から外向きに放射状または円周方向に延在し、構造筐体または骨組の頂部の近くに形成される特徴との相互係止を提供するような方法で離間されて位置付けられる、複数のフランジまたは重ね合わせ特徴を伴って形成することができる。構造筐体または骨組はまた、首部のフランジまたは重ね合わせ特徴と噛合するように、１つ以上のフランジまたは重ね合わせ特徴を備えることができる。首部と構造筐体または骨組との間の確実な相互係止は、首部の長軸に沿った、または首部の長軸の周囲のあらゆる相対的移動を防止することができる。いくつかの場合において、回転運動は、長軸の周囲の筐体と首部との間で可能になり得る。フランジまたは重ね合わせ特徴は、糊および接着剤によって、または本明細書で説明される任意の他の方法もしくは組成物によって、首部または骨組に固定されてもよい。いくつかの実施形態において、首部または嵌合具は、薄膜を備えてもよい融解部分、または他の融解可能な部分を含むことができる。骨組は、融解部分の融解または溶接によって首部に固定することができ、再凝固して、骨組と嵌合具との間に接着または物理的接続を形成することができる。首部のフランジまたは重ね合わせ特徴は、接着剤、糊によって、または本明細書で説明される任意の他の方法または組成物によって、骨組の重ね合わせ特徴に固定されてもよい。首部のフランジまたは重ね合わせ特徴は、骨組のフランジまたは重ね合わせ特徴に相補的であることができる。
【００２７】
本明細書の本発明による外骨組は、封入物および液体保持容器に対する支持を提供する、あらゆる構造体を備えることができる。液体保持容器の重量は、骨組によって支持されてもよい。いくつかの場合において、液体保持容器の重量は、好ましくは、骨組に接続される首部領域だけで支持されてもよい。骨組は、構造的支持を提供するのに好適な、あらゆる材料で形成することができる。いくつかの構成において、骨組は、ユーザの手のための把持または把持領域を提供するように、および／または骨組内に含有される液体保持容器の圧縮を防止するように、十分な構造的剛性を有することができる。把持または把持領域は、液体保持容器が把持または把持領域上の２点間にあるように、液体保持容器の周囲に位置付けることができる。このような構成において、液体保持容器は、液体保持容器が潰れるにつれて、その内容物を自然に排出することができる。本明細書で説明される嵌合具はまた、本明細書で説明されるコンテナの把持または把持を促進するように設計されてもよい。嵌合具は、把持または把持を促進するように、溝、強化表面、または摩擦パッドを有することができる。
【００２８】
液体保持袋は、液体の貯蔵中または液体の分注中に、液体保持袋内に含有されるあらゆる液体と骨組との接触を防止することができるので、骨組を形成するために使用される材料は、食品等級である必要はない。骨組は、成形繊維もしくはパルプ、または紙等の、生物分解性材料を含むことができる。例えば、骨組は、１００％使用済の繊維またはパルプ原料を含んでもよい。別の実施例では、骨組は、１００％再利用の波状繊維板と、新聞とを含んでもよい。本明細書で説明される骨組または他の材料は、未使用パルプ繊維を含むことができる。骨組は、タイプ２成形繊維、タイプ２Ａ熱成形繊維、タイプ３熱成形繊維、タイプ４熱成形繊維、成形繊維、Ｘ線形成繊維、赤外線形成繊維、マイクロ波形成繊維、真空形成繊維、構造繊維、シート素材、再利用プラスチック、または任意の他の構造材料を含むことができる。骨組を形成するために使用されてもよい材料のうちのいずれかを、本明細書で説明される実施形態のうちのいずれかで使用してもよい。
【００２９】
骨組は、積層される、折り畳まれる、または相互に接着される、１つ以上の材料のシートから形成することができる。材料のシートは、骨組を形成するように、簡略化されたシートの折り畳みのためのヒンジ、継ぎ目、折り目、相互係止、フランジ、またはフラップを備えることができる。
【００３０】
本発明のいくつかの実施形態において、骨組は、繊維またはパルプ成形体を備える。繊維およびパルプ成形体は、中空シェル、クラムシェル、２部品シェル、多部品シェル、またはそれらの組み合わせであることができる。中空シェルは、１部品繊維またはパルプ成形体であることができ、液体保持容器は、中空シェルの開口部を通して中空シェルの内側に配置される。クラムシェルは、液体保持容器の周囲に折り畳まれるヒンジを伴う、繊維またはパルプ成形体であることができる。ヒンジは、クラムシェルのあらゆる側部上に位置することができる。例えば、ヒンジは、骨組の底縁部または側縁部に沿うことができる。クラムシェルおよび／または液体保持容器は、クラムシェルを液体保持容器に、またはその周囲に固定するための、フランジおよび／または相互係止を有することができる。２部品シェルは、液体保持容器を封入することができる、２つの繊維またはパルプ成形体部品を備えることができる。２つの部品は、部品を相互に固定するための、相互係止またはフランジを有することができる。２部品シェルは、液体保持容器を封入することができる、相互に面するそれらの開口端部と相互に組み立てられる、２つのカップ様の２分割型アセンブリであることができる。多部品シェルは、ヒンジを伴う繊維もしくはパルプ成形体部品、または多部品シェルを液体保持容器の周囲に閉鎖形態で固定するための腹部バンドおよび／もしくは端部キャップと組み合わせた２部品繊維もしくはパルプ成形体を備えることができる。骨組の部品は、接着剤、ラベル、機械的変形、または当業者に公知の任意の他の手段によって、適所に保持することができる。
【００３１】
骨組は、機能的特徴の組み込みのために成形することができる。本発明のいくつかの実施形態において、骨組は、開口部または切抜きを備えることができる。開口部または切抜きは、骨組の任意の側部または表面上に位置付けることができる。開口部または切抜きは、複数の機能を提供することができる。これらの機能には、骨組を形成するために使用される材料の量を低減すること、骨組の重量を低減すること、コンテナの内容物を見ることができるようにすること、補剛リブ特徴を位置決めできるようにすること、骨組の別の部品からの相互係止特徴を保持すること、骨組を把持する能力を高めるための特徴を提供すること、液体保持容器からの分離のための特徴を提供すること、および骨組を潰す、または圧縮する能力を増大すること、が挙げられる。開口部または切抜きは、骨組の成形中に形成することができ、または骨組の成形後に打ち抜く、もしくはウォーターカットすることができる。
【００３２】
パルプ成形することができる骨組は、図１２に示されるように、ツール分割線の下側または上側に延在する特徴を有することができる。分割線は、図１２に破線で示され、矢印２５０５は、破線のうちの１つを指す。４つの破線は、分割線面を示す。分割線は、概略的に、骨組が閉鎖位置になると、骨組の２つの側部が接触する場所を示す。パルプ成形プロセスに典型的である水平分割線フランジは、２５０３の縁部周辺以外の部分面の周辺部に延びていることが分かる。相対的に、矢印（２５０３）は、分割線フランジを有さない骨組の縁部の方向を指す。代わりに、骨組は、垂直に分割線を越えて延在する。図１２は、分割線フランジを伴わない底縁部を有する骨組を示しているが、あらゆる縁部を、分割線フランジを伴わずに設計することができる。分割線フランジの欠如は、その縁部が、同じく分割線フランジを有さない骨組の別の縁部に結合される時に、平坦面を形成できるようにすることができる。本明細書で後に説明されて示されるように、平坦面は、コンテナが平坦面上に安定的に着座できるようにすることができる。図１２に示されるように、本明細書で説明されるコンテナは、パルプ成形または任意の他のコンテナを閉鎖した構成に折り畳むことができるようにする、曲げ部分または継ぎ目（２５０７）を有することができる。
【００３３】
いくつかの実施形態において、特徴は、分割線の下側に突出してもよく、例えば、骨組の頂部近くの特徴（２５０１）である。図１３に示されるように、骨組の中の特徴は、嵌合具（３３０３）上の特徴に相補的であってもよく、また、骨組および嵌合具を一体化するために使用することができる。骨組の成形部分は、骨組に噛合される嵌合具の形状に相補的であることができる。嵌合具の中の溝および／または稜は、骨組の中の溝および／または稜と整合してもよい。特徴は、溝または稜に限定されず、窪み、凹み、長方形状、リブを伴う環状フランジ、および／または嵌合具の中に差し込まれる一連のリブも挙げられる。相補的特徴は、骨組に対する嵌合具の回転を低減することができる。凹みおよび窪み等の骨組および／または嵌合具上の特徴は、嵌合具を骨組に固定するために使用されてもよい糊または他の接着剤の付着性を増大することができる。特徴は、摩擦、機械的変形、熱ステーク（本明細書で説明される）、または当技術分野において公知の任意の他の手法によって、嵌合具と噛合するように設計することができる。図１３に示されるように、分割線の下側に突出する部分はまた、嵌合具（３３０３）と係合してもよい領域に沿って延在する、補剛突出部（３３０１）を有することができる。これらの領域は、円周であってもよい。これらの突出部は、構造的剛性を骨組に提供することができる。代替的に、これらの特徴は、骨組の分解を促進するように設計される穴を可能にすることができる。
【００３４】
他の実施形態において、骨組の基部（２５０３）の近くに示されるもの等の特徴は、分割線を越えて延在することができる。骨組上の特徴、例えば骨組の基部（２５０３）の近くの特徴は、等しいまたは等しくないサイズであってもよく、それらが重なるように設計することができ、またはスロットを通して一方の特徴を他方の特徴の中に挿入するように設計することができる。重なり特徴は、骨組の２つの側部が、接着剤を伴わずに相互に固定できるようにすることができる。特徴は、特徴がスロットを通して別の特徴に挿入された時点で、骨組の側部が分離されるのを防止するように設計することができる。例えば、骨組の一方の側部上の第１の特徴は、矢頭のように成形されてもよく、骨組の他方の側部上の第２の特徴は、スロットを有することができる。矢頭形状の特徴は、第２の特徴のスロットを通して挿入することができ、矢頭は、側部が分離されるようになるのを防止する。一方の特徴を他方の特徴に固定するために、フック形、Ｌ字形、Ｙ字形、およびＴ字形等の他の形状を使用することができる。特徴は、それらが起源である骨組部分の面の中に延在することができ、または特徴は、それらが起源である骨組部分の面以外の面の中に延在することができる。例えば、図１２に示される骨組の基部（２５０３）の特徴は、骨組の頂部の特徴（２５０１）に向かって延在することができる。傾斜特徴は、フック等の様々な係止形状を形成できるようにすることができる。特徴は、成形プロセス中に形成することができ、および／またはパルプ成形後に、折り畳みまたは当技術分野において公知の任意の他の方法によって改良することができる。特徴は、第２の特徴のスロットを通して挿入するために、変形させることが必要となる場合がある。
【００３５】
重なり特徴は、平坦面を、２つのパルプ成形部分、部品、または半割り部から形成できるようにすることができる。例えば、図１４Ａは、閉鎖位置にある骨組の底部の側面図を示し、図１４Ｂは、閉鎖位置にある骨組の底面図を示し、底面（２６０７、２６０５）は、分割線フランジを伴わずに平坦に着座する。底面は、平坦であってもよく、または分割線フランジの欠如を伴って平坦に着座してもよい。相対的に、側面は、外部フランジ（２６０９、２６１１）を示す。いくつかの実施形態において、フランジは、内部、外部、または内部および外部の両方に形成することができる。
【００３６】
図１４Ａおよび図１４Ｂはまた、パルプ成形骨組が、破線によって示されるように、約９０度である壁の間の角度を有することができる。図１４Ａにおいて、破線（２６０１）は、基部と側壁との間の角度を示す。この角度は、約８０度から１００度、約８５度から９５度、または約９０度から９３度の間であることができる。角度は、平坦な基部を可能にすることができる。示される角度（２６０１、２６０２）は、重なり基部表面から概して平坦な基部を形成するように、相互に機能する。図１４Ｂにおいて、破線（２６０３）は、２つの側壁の間の角度を示す。この角度は、約８０、８５、９０、９５度である、それらより大きくする、またはそれらより小さくすることができる。
【００３７】
いくつかの実施形態において、骨組は、複数の部品から形成することができ、そのうちの幾つかは、図１５に示されるように挿入成形部品を有することができる。図１５Ａは、第１の部分（４８０１）および第２の部分（４８０２）から形成される骨組を示す。図１５Ｂは、第２の部分から分離される第１の部分（４８１１）を示す。第１の部分（４８１１）は、示されるように、袋（４８０５）上の嵌合具と噛合することができる受け具部分である、挿入成形部品（４８０９）を有する。矢印（４８０７）は、どのように袋の嵌合具が第１の部分の挿入成形部品に取り付けられるのかを示す。図１５Ｃは、第１の部分の断面図を示す。挿入成形部品（４８１３）は、成形プロセス中に、骨組（４８１５）とともに成形することができる。挿入成形部品は、骨組の形成前に、金型の中に配置することができる。骨組が形成されると、挿入成形部品は、骨組と一体化されて、骨組を伴う金型から取り外される。挿入成形部品は、任意の種類の材料であることができる。例えば、プラスチック、パルプ、紙、厚紙、金属、またはガラスであることができる。挿入成形部品は、骨組と同じ種類の材料であることができる。挿入成形部品は、ユーザによって骨組から分離することができ、再利用、処分、または再使用のための適切な材料の分離を可能にすることができる。挿入成形部品はまた、骨組の安定性または剛性を増大することができる。例えば、挿入成形部品は、基部、側壁、または骨組の首部領域を強化するように設計することができる。挿入成形部品は、場合によっては開口を伴う、一体部品であることができる。挿入成形部品は、摩擦、機械的変形、熱ステーク、留め金もしくは係止、または本明細書で説明される、もしくは当業者に公知の任意の他の手法によって、袋上の嵌合具に噛合することができる。
【００３８】
骨組は、改良された配送または貯蔵特徴のために成形することができる。骨組は、空間効率の良い手法で骨組を他の骨組に対して積み重ねることができるように設計することができる。本発明のいくつかの実施形態において、骨組は、運搬具の中に嵌合されるように設計することができる。運搬具は、輸送中のコンテナへの破損または損傷を防止するように、構造的支持を提供することができる。
【００３９】
本明細書の液体保持容器は、骨組内に固定して、骨組によって支持することができる。骨組は、接着剤を伴わずに液体保持容器を骨組内に固定できるように設計することができる。首部は、本発明の好ましい実施形態の容器に隣接し、その結果、骨組によって支持される。いくつかの応用について、液体保持容器の部分または特定の場所だけが、骨組に固定される。
【００４０】
本発明のいくつかの実施形態において、骨組は、コンテナの積み重ねを可能にする構造的完全性を提供するように、または骨組の形状が安定して積み重ねを可能にするのを確実にするように、首部領域または他の領域の近くに、液体保持容器の重量を支持するリブ、ガセット、タブ、フランジ、および他の小部品等の、補剛特徴を備えることができる。
【００４１】
液体保持容器は、骨組の内部容積よりも大きい、または小さい容量を有することができる。骨組の内部容積よりも大きい容量を伴う液体保持容器は、骨組を構造的支持として利用することができる。本発明のいくつかの実施形態において、液体保持容器は、液体保持容器の第１の部分が骨組によって支持され得、液体保持容器の第２の部分が骨組によって支持され得ないように、形状を備えることができる。
【００４２】
負の環境的影響の低減または他の目的のために、コンテナの構成要素の全ては、それらをコンテナに取り付けるように、またはユーザによってコンテナに再び取り付けることができるように構成することができる。さらに、コンテナは、コンテナの寿命の全体を通していかなる構成要素もコンテナから解放されないように構成することができる。
【００４３】
液体保持容器および骨組は、使用後に再利用することができる。コンテナは、リサイクルプロセスを受ける前に、または処分の前に、液体保持容器および骨組を分離することができるように設計することができる。液体保持容器および骨組はまた、補充して再使用することができる。そのような場合において、液体保持容器は、骨組を損傷または破壊することなく、骨組から分離することができる。本発明のいくつかの実施形態において、液体保持容器は、ポリエチレンから形成されてもよく、骨組は、紙から形成されてもよい。いくつかの事例において、コンテナを形成するために、２つの材料だけを使用することができるが、他の事例においては、コンテナを形成するために、種々の数の材料または材料系統を使用することができる。
【００４４】
液体保持容器および骨組の分離は、液体保持容器と骨組との間の取付点の最小化によって促進することができる。本発明のいくつかの実施形態において、取付点は、破ることができるように弱められる。液体保持容器および骨組の分離は、所与の再利用プロセスによるコンテナの再利用の能力および／または簡略化を向上させることができる。
【００４５】
図２は、液体保持袋（２１０）の図である。液体保持袋は、接合、密閉、または溶接によって首部（２５０）に取り付けることができる。液体保持袋は、首部の下部分に接合、密閉、または溶接することができる。液体保持袋の首部への接合、密閉、または溶接は、首部と液体保持袋との間に、実質的に水密を作り出すことができる。接合、密閉、または溶接は、袋またはその中の内容物の重量を支持できる程度であることができる。首部は、液体保持袋のための閉鎖具の一部分を形成することができる。首部、液体保持袋、および閉鎖具を含むコンテナの構成要素は、同じポリマーから、同じ再利用群に属するポリマーから、または同じ種類のポリマーから形成することができる。首部は、剛性、半剛性、または可撓性であることができる。首部は、コンテナから液体を分注するために使用することができる、開口（２４０）を備えることができる。開口（２４０）は、キャップに対する密閉のために、リブを付けることができる。首部は、首部を成形繊維またはパルプ形成骨組と噛合するための、１つ以上のフランジ（２３０）を備えることができる。
【００４６】
液体保持袋はまた、継ぎ目（２２０）を備えることができる。継ぎ目は、液体保持袋を形成するために使用されるポリマー材料の溶接中または結合中に形成することができる。継ぎ目は、液体保持袋の垂直面、水平面、または対角面に沿って形成することができる。本発明の他の実施形態において、継ぎ目は、あらゆる形状を有することができ、必ずしも液体保持袋の単一の面に沿っているわけではない。継ぎ目は、液体保持袋の重量を低減するように、最小量のポリマーを有することができる。本発明の他の実施形態において、継ぎ目は、液体保持体に構造的形状を提供するように設計される。例えば、継ぎ目は、厚くすること、またはガスで充填するように設計することができ、加圧を通して、容器に一体構造を付加し得る。
【００４７】
嵌合具は、様々な手法で袋に取り付けることができる。例えば、嵌合具は、縁部載置または正面装着することができる。縁部載置した嵌合具を伴う枕型袋を図１６に示す。縁部載置した嵌合具（２７０３）は、枕型袋（２７０１）の縁部に取り付けることができる。袋は、本明細書で説明される任意の他の袋に類似することができる。袋の膨張を可能にするガセットを有することができる。袋は、単一部品のプラスチックまたは複数部品のプラスチックから形成することができる。袋の厚さは、単一の溶接温度および／または時間を使用して嵌合具に溶接することができる程度であることができる。
【００４８】
正面装着した嵌合具を伴う別の袋を図１７に示す。正面載置した嵌合具（２８０１）は、垂直型充填密閉機で形成される袋の表面に溶接することができるように設計することができる。正面載置した嵌合具は、袋の形成に使用される膜の類似した厚さまたは溶接温度を有する、セクションまたは部分（２８０３）を有するように設計することができる。本発明のいくつかの実施形態において、正面装着した嵌合具および袋は、同じポリマー、相溶性ポリマー、または同じ種別のポリマーで製造される。これらの種別は、再利用種別または群であることができる。再利用群は、プラスチック識別コード１、２、３、４、５、６、および７を含むことができる。再利用群は、再利用プロセスの前にプラスチックまたはポリマー種の分離を必要としない再利用プロセスを使用して一緒に再利用することができる、一組のプラスチックまたはポリマー種を含むことができる。正面装着した嵌合具は、閉鎖具のためのねじ蓋を有することができ、または、本明細書で説明される任意の他の種類の閉鎖具を有してもよい。正面装着した嵌合具は、本明細書で説明される任意の種類の不正開封防止密閉具を有することができる。
【００４９】
正面装着した嵌合具は、様々な方法を使用して袋に取り付けることができる。嵌合具は、袋の形成前に、プラスチックシートに取り付けることができる。袋の形成前のプラスチックシートへの嵌合具の取り付けは、嵌合具とプラスチックシートとの間の取り付けを向上させること、ならびに最終的な袋の形成に対する応力を低減することができる。いくつかの実施形態において、このプロセスは、垂直型充填密閉（ＶＦＦＳ）袋を製作するためのプロセスと直列的に行うことができる。代替的に、正面装着した嵌合具は、ＶＦＦＳプロセスと直列的ではないプロセスで、プラスチックシート上に取り付けることができる。袋形成プロセスから嵌合具取付プロセスを分離することは、袋製造プロセスの複雑化を回避するのを補助することができる。代替的に、嵌合具の取付および袋形成プロセスを組み合わせることは、嵌合具の取付および袋製造プロセスのための設置面積または所要の空間を低減するのを補助することができる。いくつかの実施形態において、嵌合具は、パウチが形成されて充填された後、またはその前に、接着帯を通して適用することができる。嵌合具は、注ぐために取り外して液体を解放する時に、不正開封防止密閉具が、袋を穿孔するように設計することができる。いくつかの実施形態では、いかなる熱溶接も必要とせず、製造変形のリスク、コスト、および二酸化炭素排出量を低減する。正面装着した嵌合具（または本明細書で説明される任意の他の嵌合具類）はまた、袋を封入するシェルの側部の形成または強化を補助する特徴を有することができる。例えば、嵌合具と、カードと、プラスチックシートとを溶接する、あるいは袋の形成前のプロセスで組み合わせることができ、プラスチックシートを別のプラスチックシートに溶接することによって形成されてもよい。カードは、様々な目的のために設計することができる。嵌合具とシェルとの間の取付強度を向上させるように、シェルの側部を形成するように、および／またはシェル壁の強度を向上させるように設計することができる。嵌合具（正面装着した嵌合具、または袋を閉鎖するために使用することができる他の任意の嵌合具）は、構造的利益、耐磨耗性領域、および／または摩擦パッドを提供する特徴を有することができる。
【００５０】
ＶＦＦＳプロセス、または袋もしくはパウチを形成するために使用される任意の他のプロセスに対して使用されるプラスチックは、単一種類のポリマーまたは複数種類のポリマーで作製することができる。プラスチックは、袋内に含まれる材料に対して不透過性または低減された透過性を呈するように選択することができる。例えば、プラスチックは、ポリエチレンであることができる。プラスチックは、異なる密度で製作されたポリエチレンの層を有することができる。
【００５１】
正面装着した嵌合具は、米国特許第６，２３７，３０８号、第５，２８８，５３１号、第４，７０９，５２８号、第７，０７６，９３５号、第６，８７４，２９９号、第６，８２６，８９２号、第６，７９４，０５３号、第６，２３７，３０８号、第５，３６３，９６６号、および米国特許出願第２００６０１１１２２４号で説明され、これらのそれぞれは、参照することによりその全体が本明細書に組み込まれる。
【００５２】
本発明のいくつかの実施形態において、液体保持袋および閉鎖具は、ポリマーから形成することができる。所与の容量を有する液体保持袋および閉鎖具は、所与の量のポリマーで形成することができる。液体保持袋は、成形繊維またはパルプ形成骨組によって支持することができるので、液体保持袋は、最小量のポリマーで形成することができる。閉鎖具を形成するために使用されるポリマーの量は、本明細書で説明される閉鎖具、または当業者に公知の任意の他の種類の閉鎖具を使用して最小化することができる。
【００５３】
液体保持袋、首部、および閉鎖具の形成に必要なポリマーの量は、液体保持袋および閉鎖具内に含有される１リットルあたり、４、５、６、７、８、９、１０、１１、１２、１３、１４、１５、２０、２５、または３０グラム未満のポリマーであることができる。所与のコンテナを形成するために使用されるポリマーの量は、閉鎖具および液体保持袋を形成するために使用されるポリマーの量の中に分解することができる。コンテナの容量が増大するにつれて、容量基準で、コンテナを形成するために使用されるポリマーの量を減少させることができる。これは、閉鎖具の形成のために大量のポリマーが必要になり得るという事実に起因し得る。本明細書で説明されるコンテナの中に含有される、水の質量に対するプラスチックの質量は、５００ｇの水に対して約６ｇのプラスチック、すなわち１．２％であることができる。
【００５４】
５００ｍＬコンテナについて、閉鎖具は、０．２、０．５、１、２、３、４、５、６、７、８、９、１０、または１５グラム未満のポリマーを含むことができ、液体保持袋は、０．２、０．５、１、２、３、４、５、６、７、８、９、１０、または１５グラム未満のポリマーを含むことができる。
【００５５】
図１および図２に示されるように、液体保持袋と、嵌合具と、閉鎖具と、骨組とを含む上述の構成要素は、本明細書で説明される他のコンテナに利用することができる。
【００５６】
図３は、液体保持袋（２１０）を封入する骨組（１１０）の断面図を示す。液体保持袋は首部（１３０）に取り付けることができ、骨組（１１０）は、首部フランジ（２３０）によって、および骨組フランジ（３３０）によって、首部（１３０）に噛合されてもよい。骨組フランジは、保持カラー（１４０）によって、首部フランジに対して保持することができる。保持カラーは、首部に対して適所に留めることができる。首部および／または骨組フランジは、円周または環状フランジであることができる。首部および／または骨組フランジは、相互に噛合するように成形することができる。例えば、骨組は、嵌合具に相補的であるように成形される、パルプ材料で作製することができる。首部（１３０）はまた、リブ付き開口（２４０）を備えることができる。不正開封防止密閉具（３２０）は、首部の製造中に、首部とともに成形、それに溶接、または接合することができる（図５を参照されたい）。
【００５７】
液体保持袋は、液体保持袋を首部に接合、密閉、または溶接することによって、首部に取り付けることができる。本明細書で説明されるコンテナは、骨組の開口部を通して裏打ちを引っ張ることを必要としない。本発明のいくつかの実施形態において、液体保持袋は、骨組の開口部を通して延在しない。本明細書で説明されるコンテナは、骨組の開口部を通して引っ張られる裏打ちを利用することができる。本発明の他の実施形態において、液体保持袋は、骨組の外側部分に取り付けられる場合がある。いくつかの実施形態において、液体保持袋は、コンテナの構築または解体中に、骨組の開口部を通して引っ張られる、またはそれを通して延在することができるが、コンテナの充填、分配、または使用中には、骨組の開口部を通して引っ張られない、または延在されない。他の実施形態において、液体保持袋は、コンテナの構築または解体中に、骨組の開口部を通して引っ張られる、またはそれを通して延在することができ、かつコンテナの充填、分配、または使用中に、骨組の開口部を通して引っ張られる、または延在される。
【００５８】
袋は、様々な機構を使用して、シェルに取り付けることができる。これらの機構は、嵌合具によるシェルまたは骨組への袋の取り付けを含むことができる。嵌合具は、熱、溶接、糊、摩擦、留め金、係止、クリップ、レール、機械的変形、または当業者に公知の任意の他の機構の使用を通して、シェルに取り付けることができる。
【００５９】
図１８、図１９、図２０、および図２１は、嵌合具または受け具部分、もしくはプラスチック構成要素を、シェルまたは骨組に取り付けるための機構の実施例を示す。図１８は、フランジによってシェル（２９０１）に取り付けられる、嵌合具（２９０３、斜実線）を示す。嵌合具は、シェルの１つの層と噛合する、２つのフランジを有する。フランジは、シェルに摩擦嵌合することができる。フランジはまた、シェルに、糊付けする、あるいは接着剤によって取り付けることができる。いくつかの実施形態において、嵌合具は、接着剤または糊の使用を伴わずに、シェルに取り付けられる。図１９は、フランジ（３００１）の機械的変形によってシェルに取り付けられる、嵌合具（３００３）を示す。機械的変形は、機械または手動によって行うことができる。フランジは、嵌合具の周囲に、または嵌合具の周囲の一部分だけに、円周状に機械的に変形することができる。いくつかの実施形態において、機械的変形は、嵌合具だけの、シェルだけの、または嵌合具およびシェルの両方の機械的変形を引き起こす。機械的変形は、可逆的または不可逆的であることができる。図２０および図２１は、熱ステーク（３１０３、３２０１、３２０３）を使用してシェルに取り付けることができる、嵌合具（３１０１）を示す。熱ステークは、嵌合具から、およびシェルを通して延在することができる。シェルは、熱ステークが、シェルを通して延在できるように、またはシェルを通して熱ステークを貫通させることができるように、予め穿設された穴、予め形成もしくは予め成形された穴、スロット、またはスリットを有することができる。熱ステークは、嵌合具の周囲に円周状または放射状に配設することができ、または嵌合具の周囲に部分的にだけ位置付けることができる。嵌合具は、約１、２、３、４、５、６、７、８、９、１０の、これ未満の、少なくともこの、またはこれ以上のステークによって、シェルに取り付けることができる。ステークは、嵌合具の他の部分と同じ、または異なる材料から作製することができる。例えば、ステークは、嵌合具と同じプラスチックで作製することができる。熱ステークは、嵌合具に一体的であることができる。ステークは、熱によって融解または変形することができるプラスチックで作製することができる。プラスチックの融解または変形は、嵌合具とシェルとの間の確実な取り付けを可能にすることができる。融解または変形したステークは、あらゆる形状を形成することができる。例えば、融解または変形したステークは、リベット状の頭部を形成することができる。
【００６０】
さらに、液体保持袋は、複数の積層された層で形成されてもよい。積層された層は、酸素、水蒸気、または他の材料が容器を出入りするのを防止する、任意の材料であることができる。積層された層は、同じまたは異なる材料から形成することができる。いくつかの構成において、液体保持袋は、媒体によって相互から分離される、１つ、２つ、３つ、またはそれ以上のポリマーの層で形成することができる。層を分離する媒体は、ガス、空気、水蒸気、液体、または任意の他の材料であることができる。ポリマーの層は、同じまたは異なるポリマーであることができる。分離は、層のうちの１つ以上の中の隆起または凹みによって促進することができる。ポリマーの複数層を有することで、酸素、水蒸気、または他の材料が容器を出入りする速度を低減することができる。
【００６１】
首部は、首部および液体保持袋を支持するように、１つ以上のフランジを有してもよい骨組に噛合する、１つ以上のフランジを有することができる。一連の首部および骨組は、液体保持袋およびその中の液体内容物の重量を支持するように、骨組と液体保持袋との間の接着剤を含まない接続を提供することができる。首部および／または骨組フランジは、首部領域の中に形成することができ、より重くて大きい袋のための支持を提供することができる（図４を参照されたい）。
【００６２】
保持カラーは、首部を骨組に保持することができる。保持カラーは、骨組および首部の両方の周囲に摩擦嵌合を提供してもよい。これは、骨組内の袋の回転を防止または最小化し得る。
【００６３】
首部は、骨組の頂部分に位置付けることができる。液体保持袋およびその中の内容物は、首部と骨組フランジとの間の取り付けによって、骨組内に懸架することができる。液体保持袋およびその中の液体内容物の重量は、首部および骨組フランジによって支持することができ、首部が骨組の中に落ちるのを防止することができる。
【００６４】
図３に示されるように、骨組はまた、骨組の部品を相互に接続するための、または本組みを閉鎖位置に固定するための相互係止（３１０）を備えることができる。骨組はまた、液体保持袋の内容物を見るための開口部（１２０）を備えることができる。
【００６５】
図３に示されるフランジおよび相互係止は、本明細書で説明される任意のコンテナで利用することができる。
【００６６】
図４は、首部領域の近くに支持特徴を伴う、コンテナの断面を示す。例えば、骨組は、１つ以上のリブ（４１０）を備えてもよい。このようなリブは、骨組の構造により多くの強度を提供し得、液体保持容器の重量を支持する際に、コンテナの首部領域を支援し得る。いくつかの場合において、リブは、繊維またはパルプ成形等の、骨組と同じ材料を含んでもよく、骨組と同じ部品の中に成形されてもよく、他の場合では、材料は、骨組とは異なる材料を含んでもよく、または何らかの形で骨組に接着、取り付けられる、またはこれと一体化される別個の部品であってもよい。リブは、コンテナの首部領域を支持し得る、異なる配設および構成を含んでもよい。図４に示されるリブは、本明細書で説明されるコンテナのうちのいずれかで利用することができる。
【００６７】
本発明のいくつかの実施形態では、ガセット、タブ、または骨組の首部領域を補剛し得る他の支持特徴が使用されてもよい。
【００６８】
図５は、首部（１３０）内に位置する一体成形された不正開封防止密閉具（３２０）の図を示す。保持カラー（１４０）はまた、固定線（１５０）に取り付けることができる。固定線はまた、キャップに取り付けることができる。保持カラー（１４０）、固定線（１５０）、およびキャップ（１６０）はまた、１つの部分として成形することができる。図５は、保持カラー（１４０）、固定線（１５０）、およびキャップ（１６０）を伴い、キャップが開口し、不正開封防止密閉具が閉鎖している、コンテナの図を示す。
【００６９】
本発明の別の側面は、二尖弁またはダックビル弁を組み込む、複数種の閉鎖具を有するコンテナを提供する。二尖弁は、弁に噛み付くことによって、または弁の側部を圧縮することによって、破るまたは開口することができる。「ダックビル」型弁は、静置または通常の状態で、弁を閉鎖して密閉することができる心臓（二尖）弁に類似し得る。首部の長側部に対する圧力下で、ダックビル弁のリップは、外向きに撓曲させて移動させることができ、容器の内側と外側との間の液体または流体連通の自由通路を製作する。弁は、容器の配送および取り扱い中に弁を確実に密閉できるように、このような手法で製作することができる。エンドユーザの意図的な動作に応じて、密閉具を破ることができ、閉鎖具の首部内に一体的に成形される不正開封防止密閉具を提供する。不正開封防止密閉具は、廃棄されて一般のごみになり得る、いかなるルーズ部品も作り出さずに、破ることができる。
【００７０】
構造筐体は、第１の回転配向で首部の側部に圧力を提供し、弁の開口を引き起こして流体が首部を通ることができるようにする、特徴を組み込むことができる。別の回転配向では、構造筐体は、この圧力を及ぼさず、この他の配向では、弁は、閉鎖している。一実施形態において、開口と閉鎖位置との間の相対角度は、１０から１８０度の間の任意の角度であることができる。本発明のいくつかの実施形態において、開口と閉鎖位置との間の角度は、約１０、３０、５０、７０、９０、１１０、１３０、１５０、１７０、１９０、２１０、２３０、２５０、２７０、２９０、３１０、３３０、または３５０度である。
【００７１】
本発明のいくつかの実施形態において、コンテナは、嵌合具を有するパウチまたは袋をパルプ成形シェルに噛合することによって組み立てることができる。嵌合具は、任意の充填デバイスまたはプロセスによる充填のために使用することができる、オリフィスを有することができる。オリフィスは、キャップを嵌合具に取り付ける、または固定することによって密閉することができる。キャップは、ねじ付き閉鎖具であることができ、また、不正開封防止密閉具を含んでもよい。コンテナのアセンブリプロセスおよび／または充填プロセスは、自動化されてもよい。
【００７２】
ねじ付きまたは摩擦嵌合キャップもしくはストッパは、不正開封防止密閉具を形成するような方法で、中央首部または開口と一緒に成形することができる。キャップまたはストッパは、通常のユーザがキャップまたはストッパを容易に引き裂くことができるように、十分薄く成形された開口への接続を有することができる。キャップまたはストッパは、コンテナに向かった移動を防止することができ、それによって、非圧縮性部分によって密閉具を破ることができる。非圧縮性部分は、キャップまたはストッパの変位を防止するように位置することができる。
【００７３】
コンテナは、膜または他の薄くて軽量な材料から形成される、閉鎖具を備えることができる。閉鎖具は、膜の端部または平坦面のいずれかからとして、膜から離れるように延在する自由タブを使用して、容器の開口端部から離れるように剥がすことによって、容易に取り外すことができる。
【００７４】
閉鎖具は、容器の内側と外側との間の連通を可能にする開口部を作り出すように、閉鎖具部分の境界内の所定の破断経路に沿って引き裂くことによって開口することができる。
【００７５】
本発明のいくつかの実施形態において、一部の閉鎖具部分は、容器の開口端部に接合されたままにすることができる。
【００７６】
容器は、雄ねじ山を伴うストッパの確実な組み込みを可能にするように、雌ねじ山を形成することができる。容器は、圧縮嵌合閉鎖具または再密閉用のキャップの確実な組み込みを可能にする、外側フランジ特徴を伴って形成することができる。筐体は、縦ヒンジ軸を伴うクラムシェルとして成形することができる。
【００７７】
図６は、繊維またはパルプ成形体（１１０）と、液体保持袋（２１０）とを備える、コンテナの断面図である。液体保持袋は、開口（１９４０）を有することができる。開口は、フランジ（２３０）と、リップ（１９１０）とを有することができる。フランジおよびリップは、液体保持袋の開口の付加的な構造的強化のために、繊維またはパルプ成形体上に留めることができる。いくつかの実施形態において、フランジおよびリップは、本体上に留めるために、液体保持袋の他の部分よりも構造的に剛体であることができる。不正開封防止密閉具（１９２０）は、液体保持袋の開口の上に密閉することができる。繊維またはパルプ成形体による開口の強化は、不正開封防止密閉具を繊維またはパルプ成形体から離れるように引くことによって、不正開封防止密閉具の除去を可能にすることができる。本発明のいくつかの実施形態において、開口は、液体保持袋の再密閉可能な閉鎖具のためのリブまたはねじ山（１９３０）を備えることができる。
【００７８】
図７は、コンテナの開口の上に配置される不正開封防止密閉具（１９２０）を備える、コンテナの図を示す。不正開封防止密閉具は、コンテナからの不正開封防止密閉具の除去を促進するための、フラップ（２０１０）を備えることができる。
【００７９】
図８は、蓋（２１１０）を伴う、図６に示されるコンテナの図を示す。蓋は、リップ（２１２０）によって、繊維またはパルプ成形体（１１０）の上に留めて閉鎖することができる。
【００８０】
本明細書で説明される任意のコンテナは、図６、図７、および図８に示される閉鎖具を備えることができる。
【００８１】
図９は、可撓性液体コンテナの図であり、可撓性コンテナは、閉鎖具（２２３０）と、容器（２２１０）と、首部分（２２２０）とを備える。閉鎖具は、首部分の中に配置される二尖弁であることができる。閉鎖具は、不正開封防止密閉具特徴を有することができ、それは初期の噛み付きによって破られ得る。閉鎖具は、キャップまたはストッパを有することができる。本発明のいくつかの実施形態において、閉鎖具は、液体が可撓性液体コンテナを出る時に、ガスが可撓性コンテナに入らないように設計される、弁を有する。液体の一方向の輸送は、可撓性液体コンテナ内に含有または貯蔵される液体の汚染を防止することができる。
【００８２】
図１０は、コンテナの図であり、コンテナは、繊維またはパルプ成形骨組（１１０）と、液体保持袋（２１０）とを有する。１つの構成において、骨組は、クラムシェル型の形状を有し、開口位置で形成することができる。骨組は、骨組の開口および閉鎖を可能にする、１つ以上のヒンジ（２３２０）を有することができる。骨組は、液体保持袋の周囲で閉鎖することができ、液体保持袋の分注開口は、開口部（２３１０）を通して骨組から突出することができる。骨組は、液体保持袋の周囲に完全かつ確実な閉鎖を提供する、または提供するのを補助するように、骨組（１１０）の開口縁部に沿って位置付けられる、留め金または相互係止特徴を有することができる。液体保持袋（２３０）の嵌合具は、液体保持袋の重量を支持することができる骨組上のフランジ（３３０）と相互係止することができる。骨組はまた、液体保持袋を確実に支持するように、リブまたは強化材等の特徴を有することができる。コンテナは、再利用および処分のために分離する目的、またはコンテナを再装填する（例えば、空の袋を満杯の袋と置換する）目的のいずれかで、液体保持袋を取り外すために、エンドユーザによって開口することができる。コンテナは、骨組を再使用できるように、分解することができる。コンテナの分解は、骨組が破壊または破棄されないように行うことができる。骨組は、コンテナを再装填した後の再閉鎖のために構成することができる。骨組は、ラッチ、ヒンジ、接着剤、ラベル、または任意の他の手法を使用して、再閉鎖することができる。
【００８３】
図１１は、コンテナの図であり、コンテナは、骨組と、液体保持袋とを有し、骨組は、液体保持袋からの骨組の解体または分離を促進する特徴を有する。このような特徴には、穴（２４１０）、タブ、穿孔（２４３０、２４２０）、破断帯、引き帯び、折り目、ラベル、埋め込まれた糸状の部品、または当業者によって着想され得る他の特徴が挙げられる。ユーザは、指または他の物体をコンテナの破壊用の穴に挿入することができる。代替的に、コンテナの破壊を引き起こすように、引き帯を引くことができる。該特徴とのユーザインタラクションは、液体保持袋から２つの部品がもはや接続されない程度まで、損傷を受けた、または分離した状態を、骨組に引き起こすことができる。分離されると、部品は、正しい再利用の流れに方向付けることができる。
【００８４】
本明細書で説明される任意のコンテナ（例えば、液体保持コンテナまたは容器）であり得る、コンテナは、非液体材料を保持するために使用することができる。非液体材料には、粉末、固体、および／またはガスが挙げられる。コンテナは、任意の容量の材料を保持するように設計することができる。本発明のいくつかの実施形態において、コンテナは、約０．０１、０．１、０．２、０．２５、０．３、０．３５、０．４、０．４５、０．５、０．６、０．７、０．７５、１、１．２５、１．５、１．７５、２、２．２５、２．５、２．７５、または３リットルの容量、最高でこれらの容量、またはこれらより大きい容量を保持することができる。本発明のいくつかの実施形態において、コンテナは、約０．１、０．１５、０．２、０．２５、０．３、０．３５、０．４、０．４５、０．５、０．６、０．７、０．７５、０．８、０．９、または１ガロンの容量、最高でこれらの容量、またはこれらより大きい容量を保持することができる。コンテナは、約２Ｌ以下の容量を保持するように設計することができる。
【００８５】
上述のことから、特定の実装例を示して説明してきたが、それらには種々の変更を行うことができ、それらは本明細書で意図されることを理解されたい。また、本発明が、本明細書内に提供される特定の実施例によって限定されることを意図しない。本発明を上述の明細書を参照して説明してきたが、本明細書の好ましい実施形態の説明および図示は、限定的な意味で解釈されることを意味するものではない。さらに、本発明の全ての側面は、本明細書に記載される具体的な描写、構成、または相対的割合に限定されず、様々な条件および変数に依存することを理解されたい。本発明の実施形態の形状および細部の種々の変更は、当業者に明白である。したがって、本発明は、あらゆるそのような修正、変形、および均等物を包含することも意図する。
【図１】
0005677706.tif 000002
【図２】
0005677706.tif 000003
【図３】
0005677706.tif 000004
【図４】
0005677706.tif 000005
【図５】
0005677706.tif 000006
【図６】
0005677706.tif 000007
【図７】
0005677706.tif 000008
【図８】
0005677706.tif 000009
【図９】
0005677706.tif 000010
【図１０】
0005677706.tif 000011
【図１１】
0005677706.tif 000012
【図１２】
0005677706.tif 000013
【図１３】
0005677706.tif 000014
【図１４Ａ】
0005677706.tif 000015
【図１４Ｂ】
0005677706.tif 000016
【図１５Ａ】
0005677706.tif 000017
【図１５Ｂ】
0005677706.tif 000018
【図１５Ｃ】
0005677706.tif 000019
【図１６】
0005677706.tif 000020
【図１７】
0005677706.tif 000021
【図１８】
0005677706.tif 000022
【図１９】
0005677706.tif 000023
【図２０】
0005677706.tif 000024
【図２１】
0005677706.tif 000025